(57)【要約】【課題】印刷物の見えをモニタに再現する際、観察照明環境の違いの補正を極力少ない手間で行えるようにした印刷物表示方法・装置・プログラムを提供する。【解決手段】モニタ１４に表示されたプルーフ画像１２０上で印刷物２２の印刷画像２０の色と合わせたい注目色の場所を指定した色に対して、予め印刷物２２と同一印刷工程で作成した２５６色パッチ２６の各色中、最も色差の小さい色パッチ２６ａを選出し、選出した色パッチ２６ａを観察照明環境２００下で望遠型測色計３２により測色して測定測色値Ｘｐ，Ｙｐ，Ｚｐを得、得られた測定測色値Ｘｐ，Ｙｐ，Ｚｐに基づき、印刷プロファイル５０を修正することで、印刷物２２の印刷画像２０の色中、合わせたい注目色とモニタ１４に表示されたプルーフ画像１２０上の色とを一致させる。【選択図】図１
2010081326.tif 000002
【特許請求の範囲】
【請求項１】
印刷機から出力される印刷物のデバイス依存の画像データを印刷プロファイルによりデバイス非依存の画像データに変換した後、該デバイス非依存の画像データをモニタプロファイルによりモニタのデバイス依存の画像データに変換し、前記印刷物と前記モニタの同一観察照明環境下で、前記モニタのデバイス依存の画像データにより前記モニタに前記印刷物の見えをプルーフ画像として再現するモニタへの印刷物表示方法であって、
前記モニタに表示された前記プルーフ画像上で前記印刷物の色と合わせたい注目色の位置を指定する過程と、
位置を指定した前記注目色に対して、前記印刷機から出力した多数のカラーパッチを有するカラーチャートの前記パッチ中、最も色差の小さいパッチを選出する過程と、
選出した前記パッチを前記観察照明環境下で測色して測色値を得る過程と、
測色して得られた測定測色値と、選出した前記パッチのデバイス依存の画像データを前記印刷プロファイルにより変換した計算測色値とに基づき、前記印刷プロファイルを修正する過程と、
を有することを特徴とするモニタへの印刷物表示方法。
【請求項２】
請求項１記載のモニタへの印刷物表示方法において、
前記注目色の位置を指定する過程から前記印刷プロファイルを修正する過程までを、前記注目色とは異なる注目色として、少なくとも２回繰り返して前記印刷プロファイルを修正する
ことを特徴とするモニタへの印刷物表示方法。
【請求項３】
請求項１記載のモニタへの印刷物表示方法において、
前記注目色の位置を指定する過程から前記印刷プロファイルを修正する過程までを、前記注目色とは異なる注目色として、少なくとも２回繰り返して前記印刷プロファイルを修正する際、修正回数に応じて、前記印刷プロファイルを修正する修正式を変える
ことを特徴とするモニタへの印刷物表示方法。
【請求項４】
印刷機から出力される印刷物のデバイス依存の画像データを印刷プロファイルによりデバイス非依存の画像データに変換した後、該デバイス非依存の画像データをモニタプロファイルによりモニタのデバイス依存の画像データに変換し、前記印刷物と前記モニタの同一観察照明環境下で、前記モニタのデバイス依存の画像データにより前記モニタに前記印刷物の見えをプルーフ画像として再現するモニタへの印刷物表示装置であって、
前記モニタに表示された前記プルーフ画像上で前記印刷物の色と合わせたい注目色の位置を指定する注目色位置指定手段と、
位置を指定した前記注目色に対して、前記印刷機から出力した多数のカラーパッチを有するカラーチャートの前記パッチ中、最も色差の小さいパッチを選出する最小色差パッチ選出手段と、
選出した前記パッチを前記観察照明環境下で測色して測色値を得る測色計と、
測色して得られた測定測色値と、選出した前記パッチのデバイス依存の画像データを前記印刷プロファイルにより変換した計算測色値とに基づき、前記印刷プロファイルを修正する印刷プロファイル修正手段と、
を有することを特徴とするモニタへの印刷物表示装置。
【請求項５】
印刷機から出力される印刷物のデバイス依存の画像データを印刷プロファイルによりデバイス非依存の画像データに変換した後、該デバイス非依存の画像データをモニタプロファイルによりモニタのデバイス依存の画像データに変換し、前記印刷物と前記モニタの同一観察照明環境下で、前記モニタのデバイス依存の画像データにより前記モニタに前記印刷物の見えをプルーフ画像として再現する際、
コンピュータに、
前記モニタに表示された前記プルーフ画像上で前記印刷物の色と合わせたい注目色の位置が指定されたことを検出する注目色位置指定検出機能と、
位置が指定された前記注目色に対して、前記印刷物から出力した多数のカラーパッチを有するカラーチャートの前記パッチ中、最も色差の小さいパッチを計算により選出する最小色差パッチ選出機能と、
選出された前記パッチを前記観察照明環境下で測色して得られた測定測色値と、選出された前記パッチのデバイス依存の画像データを前記印刷プロファイルにより変換した計算測色値とに基づき、前記印刷プロファイルを修正する印刷プロファイル修正機能と、
を実現させるためのプログラム。
【発明の詳細な説明】
【技術分野】
【０００１】
この発明は、印刷物の見えをモニタに再現するモニタへの印刷物表示方法、装置及びプログラムに関する。
【背景技術】
【０００２】
近時、モニタ（モニタディスプレイ、表示部）上で印刷物の色校正を行うモニタプルーフ（ソフトプルーフ）が提案されている。このモニタプルーフは、校正が迅速に行えるという利点がある。
【０００３】
このような印刷物の見えをモニタに再現するモニタプルーフにおいては、印刷物の色は、該印刷物を照明する照明光の特性に依存して変化することから、実際の観察照明環境の照明光特性を考慮することが必要である。なお、照明光が視対象（ここでは印刷物）の見えに及ぼす影響を演色という。
【０００４】
しかし、実際の観察照明環境の照明光特性を予め知ることが出来ない場合があり、照明環境に依存してモニタ上のプルーフ画像の見えが変化してしまうという問題がある。
【０００５】
この問題を解決するために、特許文献１では、照明環境下に印刷パッチを置いて測色し、得られた測色値から照明の演色性補正を実施する技術が開示されている。
【０００６】
しかし、プルーフ画像の見えが印刷物と同等となるよう照明の演色性補正を実施する場合には、多数（特許文献１では７７色）の印刷パッチを測色する必要があり、作業時間が長くかかり効率的であるとはいえない。
【０００７】
また、特許文献２には、印刷物をカラープリンタの校正刷りにより色校正を行うカラープルーフシステムにおいて、前記印刷物と前記校正刷りを比較し、校正刷り上で色再現誤差の補正精度を向上させたい注目色を指定し、指定された注目色について前記校正刷りを例えば測色して得たデバイス非依存のデータ値と、前記印刷物を例えば測色して得たデバイス非依存のデータ値との差分情報（ΔＬａｂ）を算出する。この差分情報によりカラープリンタから出力されたカラーチャートの測色データであるデバイス非依存のデータを補正する。そして、プリンタプロファイルを補正することで、注目色に対して色再現精度が向上したプリンタプロファイルを得ることができると開示されている。
【０００８】
しかし、この手法は注目色についてのカラープリンタの色変動を補正することはできるが、実際の観察照明環境の照明光特性を考慮していないのでモニタプルーフに適用することができない。
【０００９】
【特許文献１】特許３６７９４８８号公報
【特許文献２】特開２００７−２２１１８２号公報
【発明の開示】
【発明が解決しようとする課題】
【００１０】
この発明は実際の観察照明環境の照明特性を考慮し、しかも短時間かつ簡易な手順で注目色の印刷物の色とモニタのプルーフ画像の色を合わせることを可能とするモニタへの印刷物表示方法、装置及びプログラムを提供することを目的とする。
【課題を解決するための手段】
【００１１】
この発明に係るモニタへの印刷物表示方法は、印刷機から出力される印刷物のデバイス依存の画像データを印刷プロファイルによりデバイス非依存の画像データに変換した後、該デバイス非依存の画像データをモニタプロファイルによりモニタのデバイス依存の画像データに変換し、前記印刷物と前記モニタの同一観察照明環境下で、前記モニタのデバイス依存の画像データにより前記モニタに前記印刷物の見えをプルーフ画像として再現するモニタへの印刷物表示方法であって、前記モニタに表示された前記プルーフ画像上で前記印刷物の色と合わせたい注目色の位置を指定する過程と、位置を指定した前記注目色に対して、前記印刷機から出力した多数のカラーパッチを有するカラーチャートの前記パッチ中、最も色差の小さいパッチを選出する過程と、選出した前記パッチを前記観察照明環境下で測色して測色値を得る過程と、測色して得られた測定測色値と、選出した前記パッチのデバイス依存の画像データを前記印刷プロファイルにより変換した計算測色値とに基づき、前記印刷プロファイルを修正する過程と、を有する。
【００１２】
この発明は、種々の形態で実現することが可能であり、上記モニタへの印刷物表示方法の他、例えば、モニタへの印刷物表示装置、この装置の機能を実現するためのコンピュータプログラム等の形態で実現することができる。
【発明の効果】
【００１３】
この発明によれば、モニタに表示されたプルーフ画像上で印刷物の色と合わせたい注目色の場所を指定した色に対して、予め前記印刷物と同一印刷工程で作成した多数のカラーパッチの各色中、最も色差の小さいパッチを選出し、選出したパッチを観察照明環境下で測色して測色値を得、得られた測色値に基づき、印刷プロファイルを修正することで、前記印刷物の色と合わせたい注目色とモニタに表示されたプルーフ画像上の色とを一致させることができる。
【００１４】
すなわち、実際の観察照明環境の照明特性を考慮し、しかも短時間かつ簡易な手順で注目色の印刷物の色とモニタのプルーフ画像の色を合わせることができる。
【発明を実施するための最良の形態】
【００１５】
以下、この発明のモニタへの印刷物表示方法を実施する画像処理再現システムについて図面を参照して説明する。
【００１６】
図１は、画像処理再現システム１０の構成例を示している。この画像処理再現システム１０は、ワークステーション等のコンピュータ１２と表示装置であるモニタ１４とを含んで構成される。
【００１７】
この画像処理再現システム１０は、印刷物２２に形成されたカラー画像である印刷画像２０と、この印刷画像２０に対応してモニタ１４に表示された同一絵柄のカラー画像であるプルーフ画像１２０との観察照明環境（同一の観察照明環境）２００下での見えを一致させるシステムである。なお、観察照明環境２００とは、例えば、予め定めた所定の蛍光灯等の光源により照明された部屋等を意味する。
【００１８】
コンピュータ１２は、ＣＰＵが各種入力に基づきＲＯＭ等のメモリに記憶されているプログラムを実行することで各種の機能を実現する機能実現部（機能実現手段）として動作する。これらの機能は、ハードウエアにより実現することもできる。その場合、用語「〜部」は、「〜回路」、「〜器」、または「〜装置」に置換することができる。
【００１９】
図２は、コンピュータ１２の機能実現部を含む構成を示すブロック図である。
【００２０】
図１において、ＣＴＰ装置１６は、入力ポート１０１を通じて入力される印刷物用画像データＣＭＹＫ｛単に、印刷物ＣＭＹＫ（シアン、マゼンタ、黄、黒）ともいう。｝、カラーチャート用画像データＣＭＹＫ（単に、カラーチャートＣＭＹＫともいう。）、又は２５６色パッチ用画像データＣＭＹＫ（単に、２５６色パッチＣＭＹＫともいう。）等の画像データＣＭＹＫを受けて、それぞれ対応する刷版ＣＭＹＫを作成する。
【００２１】
なお、入力ポート１０１には、図示しない画像読取装置（スキャナやデジタルカメラ等）の出力、あるいは印刷物のデザインレイアウト等を行う図示しないＤＴＰ（Ｄｅｓｋ  Ｔｏｐ  Ｐｕｂｌｉｓｈｉｎｇ）装置の出力が接続される。
【００２２】
ＣＴＰ装置１６により作成された各刷版ＣＭＹＫは、印刷機１８に装填される。印刷機１８は、装填された各刷版ＣＭＹＫにインクを付けて多色刷りし、それぞれ、印刷用紙上に印刷画像２０が形成された印刷物２２、図示しない印刷プロファイル作成用のカラーチャート、及び２５６色の各色パッチが形成された２５６色パッチ２６を出力する。
【００２３】
前記印刷プロファイル作成用のカラーチャートは、ＣＭＹＫの所定比率の組み合わせからなる１０００個程度の色パッチを印刷機１８により印刷したものである。図示しない測色計により各色パッチの測色値ＸＹＺが測色され、デバイス依存の画像データＣＭＹＫをデバイス非依存の画像データである測色値ＸＹＺに変換する変換関係を有するテーブルである印刷プロファイル５０（図２参照）が作成され、コンピュータ１２に設定される。
【００２４】
印刷プロファイル５０により変換された測色値ＸＹＺ（図２中、Ｘｐｉ，Ｙｐｉ，Ｚｐｉと記載している。）をデバイス依存の画像データであるモニタ用画像データＲＧＢ（単に、モニタＲＧＢともいう。）に変換するモニタプロファイル５２（図２参照）を作成する際には、ＲＧＢの所定比率の組み合わせからなる５０個程度の色パッチをモニタ１４上に表示させ、外光が入射しないように接触型の測色計を用いて各色パッチの測色値ＸＹＺを測色し、デバイス非依存の画像データである測色値ＸＹＺをデバイス依存の画像データであるモニタ用画像データＲＧＢに変換する変換関係を有するテーブルであるモニタプロファイル５２（図２参照）が作成され、コンピュータ１２に設定される。
【００２５】
前記２５６色パッチ２６は、図３に示すように、それぞれ網パーセントで０〜１００までの階調で表される２５６色パッチ用画像データＣＭＹＫの各色を、均等に４分割した２５６色分の色パッチである。それぞれの色パッチには、図１に示すように、番号Ｎ（Ｎ＝１，２，…，ｎ，…，２５６）のいずれかが振ってある。
【００２６】
同一の観察照明環境２００下で観察される印刷物２２の印刷画像２０とモニタ１４に表示されたプルーフ画像１２０とから、色を特に合わせたい色、換言すれば、色合わせが必要な色（以下、注目色ともいう。）が、モニタ１４のプルーフ画像１２０上でユーザにより入力手段（ポインティングデバイス）であるマウス３０の操作により指定される。
【００２７】
マウス３０の操作に応じてモニタ１４上を移動するマウスポインタ３１の位置により指定された、プルーフ画像１２０を構成する画素に対応するモニタ用画像データＲＧＢ（赤、緑、青）が注目色指定部３４（図２参照）に格納される。
【００２８】
平均色算出部３６は、注目色の画素とこの画素を取り巻く周囲画素、例えば８近傍画素の合計９個の画素値の相加平均値（平均色）を算出して、これを注目色のモニタ用画像データＲＧＢとして最小色差パッチ選出部３８に供給する。
【００２９】
なお、平均化するのは、例えば、図１に示すように、プルーフ画像１２０を構成する顔部の頬の色である肌色が注目色の画素としてマウスポインタ３１により指定された場合、注目色の画素の周りの画素は通常同じ色に見える肌色であるので、雑音の影響を小さくするためである。
【００３０】
最小色差パッチ選出部３８は、２５６色パッチＣＭＹＫの各色パッチのＣＩＥＬ*ａ*ｂ*（以下、Ｌ*ａ*ｂ*は、単に、Ｌａｂと記載する。）と、注目色のモニタ用画像データＲＧＢのＣＩＥＬａｂへの変換値との各色差ΔＥを算出し、色差ΔＥが最も小さい色パッチを選出する。
【００３１】
ここで、色差ΔＥの算出の仕方の一例について述べる。
【００３２】
２５６色パッチＣＭＹＫの各色パッチのＣＩＥＬａｂは、２５６色パッチ用画像データＣＭＹＫを印刷プロファイル５０によりそれぞれ変換した測色値ＸＹＺを、所定の変換式により変換したＣＩＥＬａｂとして得られる。一方、注目色のモニタ用画像データＲＧＢは、モニタプロファイル５２の逆変換により測色値ＸＹＺに変換され、この測色値ＸＹＺは、同様に、所定の変換式によりＣＩＥＬａｂに変換される。
【００３３】
ここで、例えば、測色値ＸＹＺのＣＩＥＬａｂへの所定の前記変換式は、書籍｛書名：「色再現工学の基礎」、著者：大田登、発行者：株式会社  コロナ社、１９９７年９月１０日  初版第１刷発行、第２７頁｝中に記載された次の（１）〜（３）式を用いることができる。
Ｌ＝１１６（Ｙ／Ｙｎ）1/3−１６                           …（１）
ａ＝５００｛（Ｘ／Ｘｎ）1/3−（Ｙ／Ｙｎ）1/3｝            …（２）
ｂ＝２００｛（Ｙ／Ｙｎ）1/3−（Ｚ／Ｚｎ）1/3｝            …（３）
【００３４】
ここで、Ｘｎ、Ｙｎ、Ｚｎは、印刷物の場合には、完全拡散反射面の三刺激値であり、Ｙｎは、Ｙｎ＝１００に規格化される、一方、モニタの場合には、Ｘｎ、Ｙｎ、Ｚｎは、モニタの最大発光強度の白（Ｒ＝Ｇ＝Ｂ＝２５５）、すなわち最大発光白色の測定値をＸｎ、Ｙｎ、Ｚｎとして計算する。
【００３５】
色差ΔＥは、２５６色パッチＣＭＹＫの各色パッチのＣＩＥＬａｂを、それぞれＬｉ、ａｉ、ｂｉとし、注目色のモニタ用画像データＲＧＢのＣＩＥＬａｂをＬ、ａ、ｂとするとき次の（４）〜（７）式に示す式により最小色差パッチ選出部３８により算出され、算出した色差ΔＥ中、最小色差ΔＥｍｉｎが算出された２５６色パッチ用画像データＣＭＹＫ（最小色差パッチＣＭＹＫという。）を選出する。
ΔＥ＝｛（ΔＬ）2＋（Δａ）2＋（Δｂ）2｝1/2                …（４）
ΔＬ＝Ｌ−Ｌ´                                              …（５）
Δａ＝ａ−ａ´                                              …（６）
Δｂ＝ｂ−ｂ´                                              …（７）
【００３６】
最小色差パッチ選出部３８から、最小色差パッチ２６ａを特定する番号Ｎ（Ｎ＝ｎとする。）が表示制御部５４に供給される。
【００３７】
そうすると、モニタ１４上に、図４に示すように、番号Ｎ＝ｎが表示される。
【００３８】
ユーザは、モニタ１４上のこの番号表示（Ｎ＝ｎ）により最小色差パッチ２６ａ（図１参照）を認識できるので、対応する番号Ｎ＝ｎが振られた最小色差パッチ２６ａを２５６色パッチ２６から抽出する。
【００３９】
抽出した最小色差パッチ２６ａが環境照明環境２００下に配置され、望遠型測色計３２により環境照明込みで測色され、測色値が測定測色値Ｘｐ，Ｙｐ，Ｚｐとして補正係数算出部５６の一方の入力ポートに供給される。
【００４０】
この場合、補正係数算出部５６の他方の入力ポートには、番号Ｎ＝ｎの最小色差パッチ２６ａの２５６色パッチ用画像データＣＭＹＫの各値が図３の表から読み込まれ、印刷プロファイル５０により測色値（算出測色値という。）Ｘ´ｐ，Ｙ´ｐ，Ｚ´ｐ´に変換されて供給される。
【００４１】
補正係数算出部５６は、次の（８）〜（１０）式により算出測色値Ｘ´ｐ，Ｙ´ｐ，Ｚ´ｐの補正係数Ｃｘ，Ｃｙ，Ｃｚを算出する。
Ｃｘ＝（Ｘｐ／Ｙｐ）／（Ｘ´ｐ／Ｙ´ｐ）                      …（８）
Ｃｙ＝（Ｙｐ／Ｙｐ）／（Ｙ´ｐ／Ｙ´ｐ）＝１                  …（９）
Ｃｚ＝（Ｚｐ／Ｙｐ）／（Ｚ´ｐ／Ｙ´ｐ）                    …（１０）
【００４２】
算出された補正係数Ｃｘ，Ｃｙ，Ｃｚは、補正係数設定部５８に設定される。修正前の（原）印刷プロファイル５０と補正係数設定部５８により補正後（修正後）の印刷プロファイル（修正印刷プロファイルともいう。）５０Ａが形成される。
【００４３】
そこで、印刷物２２の印刷画像２０の見えがより一致した修正（色修正）後のプルーフ画像１２０、この実施形態では肌色の見えを観察照明環境２００下でより一致させた修正後のプルーフ画像１２０をモニタ１４に表示する場合、先ず、入力ポート１０１を通じて印刷プロファイル５０に入力された印刷物用画像データＣＭＹＫが、印刷プロファイル５０によりそれぞれ測色値Ｘｐｉ，Ｙｐｉ，Ｚｐｉに変換されると、変換された測色値Ｘｐｉ，Ｙｐｉ，Ｚｐｉが、補正係数設定部５８を通じて修正後の測色値Ｘ´ｐｉ，Ｙ´ｐｉ，Ｚ´ｐｉ｛（１１）〜（１３）式参照｝に変換される。
Ｘ´ｐｉ＝Ｃｘ×Ｘｐｉ                                        （１１）
Ｙ´ｐｉ＝Ｃｙ×Ｙｐｉ                                        （１２）
Ｚ´ｐｉ＝Ｃｚ×Ｚｐｉ                                        （１３）
【００４４】
次に、モニタプロファイル５２により、修正後の測色値Ｘ´ｐｉ，Ｙ´ｐｉ，Ｚ´ｐｉが、モニタ用画像データＲＧＢに変換され、表示制御部５４を通じてモニタ１４に供給される。
【００４５】
このようにしてモニタ１４には、修正後の、この場合、肌色修正後の、換言すれば、観察照明環境２００下で観察される印刷画像２０の肌色に対してモニタ１４上で観察される肌色がより一致したプルーフ画像１２０が表示される。
【００４６】
次に、上述の実施形態による印刷プロファイル５０の修正手順を含む、印刷画像２０に対する修正後のプルーフ画像１２０をモニタ１４に表示するまでの手順について、図５に示すフローチャートを参照して説明する。
【００４７】
ステップＳ１において、モニタ１４にプルーフ画像１０２を表示したい印刷機１８により印刷プロファイル作成用カラーチャートを印刷して図示しない測色計で測色し、デバイス依存の画像データである印刷物用画像データＣＭＹＫとデバイス非依存の画像データである測色値ＸＹＺとの変換関係である印刷プロファイル５０を作成してコンピュータ１２に設定する。また、ステップＳ１において、モニタプロファイル作成用色パッチを順次モニタ上に表示し，接触型の測色計を用いて各色パッチの測色値ＸＹＺを測色し、デバイス非依存の画像データである測色値ＸＹＺをデバイス依存の画像データであるモニタ用画像データＲＧＢに変換する変換関係であるモニタプロファイル５２を作成し、コンピュータ１２に設定する。
【００４８】
なお、モニタプロファイル作成用色パッチの数は、モニタ１４が加色混色であることから線形性を有するので、印刷プロファイル作成用のカラーチャートのような多数の色パッチは不要であり、数十個程度の色パッチで十分な変換精度を得ることができる。
【００４９】
次いで、ステップＳ２において、モニタ１４によりプルーフを確認しようとする印刷画像２０の印刷物用画像データＣＭＹＫを用いて、ＣＴＰ装置１６及び印刷機１８を通じて印刷物２２を作成するとともに、該印刷物用画像データＣＭＹＫを印刷プロファイル５０、スイッチ６０、モニタプロファイル５２及び表示制御部５４を通じてモニタ用画像データＲＧＢに変換し、このモニタ用画像データＲＧＢにより修正前のプルーフ画像１２０をモニタ１４に表示させる。また、このステップＳ２において、図３に示す２５６色パッチ用画像データＣＭＹＫをＣＴＰ装置１６に入力し、印刷機１８を通じて、対応する２５６色パッチ２６を作成する。
【００５０】
次いで、ステップＳ３において、ユーザである観察者は、観察照明環境２００下において、印刷物２２の印刷画像２０と、モニタ１４上の修正前のプルーフ画像１２０を目視により比較し、色あわせが必要と考える色（注目色）の箇所（画素）を、マウス３０を操作し、モニタ１４上に修正前のプルーフ画像１２０と併せて表示されているマウスポインタ３１により指定する。
【００５１】
注目色の画素が指定されると、注目色指定部３４から注目色の画素値と、この画素値の周辺８近傍の画素値とが平均色算出部３６に供給される。
【００５２】
ステップＳ４において、平均色算出部３６は、ＳＮ（信号雑音）比を高くするために、注目色の画素値の平均値（平均色）を算出する。なお、この平均色の属性は、ＲＧＢである。このＲＧＢを注目色のモニタ用平均画像データＲＧＢという。
【００５３】
次に、ステップＳ５において、最小色差パッチ選出部３８は、２５６色パッチ用画像データＣＭＹＫと、注目色のモニタ用平均画像データＲＧＢとの色差ΔＥを算出し、最も色差ΔＥが小さい色パッチ２６ａを選出し、その色パッチ番号Ｎ＝ｎを、表示制御部５４を介してモニタ１４上に表示する。この表示を見て、ユーザである観察者は、２５６枚の２５６色パッチ２６から色パッチ番号Ｎ＝ｎの最小色差パッチ２６ａを抽出することができる。
【００５４】
なお、この最小色差パッチ２６ａは、色合わせが必要な色、すなわち注目色に最も近似した色に他ならない。
【００５５】
次いで、ステップＳ６において、抽出した最小色差パッチ２６ａが環境照明２００下に配置され、望遠型測色計３２により環境照明込みで測色されると、測色値が測定測色値Ｘｐ，Ｙｐ，Ｚｐとして補正係数算出部５６の一方の入力ポートに供給される。
【００５６】
一方、ステップＳ７において、補正係数算出部５６の他方の入力ポートには、番号Ｎ＝ｎの最小色差パッチ２６ａの２５６色パッチ用画像データＣＭＹＫの各値が図３の表から読み込まれ、読み込まれた２５６色パッチ用画像データＣＭＹＫが、印刷プロファイル５０により算出測色値Ｘ´ｐ，Ｙ´ｐ，Ｚ´ｐ´に変換されて供給される。
【００５７】
ステップＳ８において、補正係数算出部５６は、測定測色値Ｘｐ，Ｙｐ，Ｚｐと算出測色値Ｘ´ｐ，Ｙ´ｐ，Ｚ´ｐ´に基づき、上記した（８）〜（１０）式を用いて、補正係数Ｃｘ，Ｃｙ，Ｃｚを算出し、補正係数設定部５８に設定する。これにより、修正後の印刷プロファイル５０Ａ（印刷プロファイル５０＋補正係数設定部５８）が形成される。
【００５８】
次いで、ステップＳ９において、修正印刷プロファイル５０Ａ、スイッチ６０、モニタプロファイル５２、及び表示制御部５４を通じて、修正後のプルーフ画像１２０がモニタ１４に表示される。
【００５９】
このようにしてモニタ１４には、修正後の、この場合、肌色修正後の、換言すれば、観察照明環境２００下で印刷画像２０の肌色と肌色がより一致したプルーフ画像１２０が表示される。
【００６０】
さらに、ステップＳ１０において、モニタ１４上に表示された修正後のプルーフ画像１２０と、印刷物２２上に形成された印刷画像２０とを対比観察し、肌色を除く他の色の色合わせが必要かどうかを判断し、必要と判断した場合には、ステップＳ３において、再び、マウス３０を操作して色を合わせたい箇所を指定する。次いで、ステップＳ４〜Ｓ８まで繰り返して、修正後のプルーフ画像１２０を再度表示する。
【００６１】
このようにして、観察者が、他の色の色合わせが必要ではないと判断した時点でステップＳ１０が成立し処理が終了する。
【００６２】
なお、ステップＳ８における補正係数算出・設定ステップにおいて、色合わせが必要な補正係数Ｃｘ，Ｃｙ，Ｃｚは、上記の（１１）〜（１３）式に示すように、原点を通る１次式の係数として設定しているが、色合わせを２〜３回行った場合には、次の（１４）〜（１６）式に示すように、原点を通らない切片を有する１次式で補正係数Ａｘ、Ｂｘ、Ａｙ、Ｂｙ、Ａｚ、Ｂｚを最小自乗法を利用して求めて用いることが好ましい。
Ｘ´ｐｉ＝Ａｘ×Ｘｐｉ＋Ｂｘ                                  （１４）
Ｙ´ｐｉ＝Ａｙ×Ｙｐｉ＋Ｂｙ                                  （１５）
Ｚ´ｐｉ＝Ａｚ×Ｚｐｉ＋Ｂｚ                                  （１６）
【００６３】
さらに、色合わせを４回以上行った場合には、次の（１７）〜（１９）式に示す多元１次式の３×３個の係数ａ，ｂ，ｅ，ｆ，ｇ，ｉ，ｊ，ｋと定数項ｄ，ｈ，ｌを最小自乗法を利用して求めて用いることが好ましい。
Ｘ´ｐｉ＝ａ・Ｘｐｉ＋ｂ・Ｙｐｉ＋ｃ・Ｚｐｉ＋ｄ              （１７）
Ｙ´ｐｉ＝ｅ・Ｘｐｉ＋ｆ・Ｙｐｉ＋ｇ・Ｚｐｉ＋ｈ              （１８）
Ｚ´ｐｉ＝ｉ・Ｘｐｉ＋ｊ・Ｙｐｉ＋ｋ・Ｚｐｉ＋ｌ              （１９）
【００６４】
以上説明したように上述した実施形態によれば、印刷機１８から出力される印刷物２２のデバイス依存の画像データである印刷物用画像データＣＭＹＫを印刷プロファイル５０によりデバイス非依存の画像データである測色値Ｘｐｉ，ＹＰｉ，Ｚｐｉに変換した後、モニタプロファイル５２によりモニタ１４のデバイス依存の画像データであるモニタ画像データＲＧＢに変換し、印刷物２２の印刷画像２０の見えを同一の観察照明環境２００下で、モニタ１４のデバイス依存の画像データであるモニタ画像データＲＧＢによりモニタ１４に同一絵柄のプルーフ画像１２０として再現する際、最初に表示されたプルーフ画像１０２上で印刷物２２の印刷画像２０中の色と合わせたい注目色の場所（画素位置）をマウス３０（注目位置指定手段）で指定し（ステップＳ３）、場所を指定した注目色の印刷物用画像データＣＭＹＫに対して、予め印刷物２２と同一印刷工程（同一印刷機１８）で作成した多数のカラーパッチである２５６色パッチ２６の各色中、最も色差の小さい色パッチ２６ａを最小色差パッチ選出部３８により選出する（ステップＳ５）。選出した色パッチ２６ａを観察照明環境２００下で望遠型測色計３２により測色して測定測色値Ｘｐ，Ｙｐ，Ｚｐ等を得（ステップＳ６）、得られた測定測色値Ｘｐ，Ｙｐ，Ｚｐに基づき、印刷プロファイル５０を修正後の印刷プロファイル５０Ａに修正する（ステップＳ８）。
【００６５】
この実施形態によれば、モニタ１４に表示されたプルーフ画像１２０上で印刷物２２の印刷画像２０の色と合わせたい注目色の場所を指定した色に対して、予め印刷物２２と同一印刷工程で作成した２５６色パッチ２６の各色中、最も色差ΔＥの小さい色パッチ２６ａを選出し、選出した色パッチ２６ａを観察照明環境２００下で望遠型測色計３２により測色して測定測色値ＸｐＹｐＺｐを得、得られた測定測色値Ｘｐ，Ｙｐ，Ｚｐに基づき、印刷プロファイル５０を修正することで、印刷物２２の印刷画像２０の色中、合わせたい注目色とモニタ１４に表示されたプルーフ画像１２０上の色とをよりよく一致させることができる。
【００６６】
すなわち、実際の観察照明環境２００の照明特性を考慮し、しかも短時間かつ簡易な手順で注目色の印刷物２２の色とモニタ１４のプルーフ画像１２０の色を合わせることができる。
【００６７】
この場合、前記注目色の位置を指定する過程（ステップＳ６）から印刷プロファイル５０を修正する過程（ステップＳ８）までを、前記注目色とは異なる注目色として、少なくとも２回繰り返して印刷プロファイル５０を修正することで、所望の２色の見えを確実に一致させることができる。
【００６８】
なお、印刷プロファイル５０を修正する過程では、修正回数に応じて適当な修正式に変えることで、観察照明環境２００下での印刷画像２０とプルーフ画像１２０の種々の色を効果的に一致させることができる。
【００６９】
なお、この発明は、上述の実施形態に限らず、この明細書の記載内容に基づき、種々の構成を採り得ることはもちろんである。
【図面の簡単な説明】
【００７０】
【図１】この発明の一実施形態に係わる画像処理再現システムの構成図である。
【図２】コンピュータの機能実現部を含む構成を示すブロック図である。
【図３】２５６色パッチ用の画像データの説明図である。
【図４】２５６色パッチ中、注目色と最も近似した色を有するパッチ番号が表示されたプルーフ画像の説明図である。
【図５】図１例の画像処理再現システムの動作説明に供されるフローチャートである。
【符号の説明】
【００７１】
１０…画像処理再現システム            １２…コンピュータ
１４…モニタ                          １８…印刷機
２０…印刷画像                        ２２…印刷物
２６…２５６色パッチ                  ３０…マウス
３１…マウスポインタ                  ３２…望遠型測色計
３４…注目色指定部                    ３８…最小色差パッチ選出部
５０…印刷プロファイル                ５０Ａ…修正後の印刷プロファイル
５２…モニタプロファイル              ５６…補正係数算出部
５８…補正係数設定部                  ２００…観察照明環境
【図１】
2010081326.tif 000003
【図２】
2010081326.tif 000004
【図３】
2010081326.tif 000005
【図４】
2010081326.tif 000006
【図５】
2010081326.tif 000007